(57)【特許請求の範囲】
【請求項１】
建物の外壁面に沿って配置される環状のフランジを有するガラリ本体と、フランジの前面に対して間隔をあけて対向する前面カバー部及び該前面カバー部の周端部の一部がフランジ側に向かって延出している周壁部を有するカバーとを備え、フランジと前面カバー部との間に周壁部と並んで通気部が形成された既設のカバー付ガラリに対し、該通気部を覆うように通気性の有るシート状のフィルターをカバーの周壁部に巻き掛けた状態で、該フィルターを固定するためのフィルター固定具であって、周壁部に巻き掛けたフィルター上に巻き掛け可能で且つ巻き掛けた状態で少なくとも前記通気部に対応する部分が通気可能に構成されて一方向に長手をなすフィルター支持部と、該フィルター支持部がフィルターの外周上に巻き掛けられた状態でその一端側と他端側とを連結可能な連結部とを備え、フィルター支持部と連結部との少なくとも一方は、通気部を覆うようにカバーの周壁部にフィルターを締め付けて固定すべく弾性変形可能に構成され、前記フィルター支持部は、所定の間隔をあけて設けられ、線材で環状に形成される二つ以上の環状部と、該二つ以上の環状部のそれぞれを結合する結合部とを備えていることを特徴とするカバー付ガラリ用のフィルター固定具。
【発明の詳細な説明】
【技術分野】
【０００１】
本発明は、既設のガラリに対してフィルターを固定するためのフィルター固定具に関し、より詳しくは、既設のカバー付ガラリに対してフィルターを交換可能に固定するためのカバー付ガラリ用のフィルター固定具に関する。
【背景技術】
【０００２】
一般的に、建物の壁に対して換気穴を設ける場合、壁の外側にガラリが取り付けられる。かかるガラリは、換気穴に嵌入される筒状の嵌入部、及び該嵌入部の一端部から径方向外方に延出したフランジを有するガラリ本体を備えており、嵌入部を外側から換気穴に嵌入することで、フランジが壁の外面に沿った状態で建物の壁に固定できるようになっている。そして、この種のガラリは、複数の羽根板を有するルーバーがフランジの開口を覆うように設けられており、換気穴を目隠ししつつ羽根板間の空間（隙間）で空気の流通を確保できるようになっている。
【０００３】
ところで、上記構成のガラリは、ルーバー（複数の羽根板）で換気穴を覆い隠すことができるものの、羽根板同士の間隔が害虫や埃の通過を許容してしまう広い間隔に設定されているため、害虫や埃等が外部から室内に進入してしまうとして、既設のガラリに対して通気性を確保しつつ害虫や埃の通過を阻止できるフィルターを取り付けるためのフィルター固定具が提供されている。
【０００４】
かかるフィルター固定具は、建物の壁面（外面）とガラリのフランジとの間に介装入可能に形成されたベースプレートと、空気流通用の穴が形成されるとともに、該穴に対向するようにフィルターが取り付けられるカバーとを備え、カバーをベースに取り付けることで、カバーがフランジ全体を覆い、該カバーに取り付けられたフィルターがルーバーに対向した状態になるように構成されている（例えば、特許文献１参照）。
【０００５】
このように、上記構成のフィルター固定具は、フィルターをルーバーと対向させた状態で取り付けることができるため、害虫や埃が室内に進入するのを阻止できるようになっている。
【０００６】
ところで、ガラリには、図１及び図２に示す如く、換気穴Ｈ（図２参照）に嵌入される筒状の嵌入部５０ａ及び該嵌入部５０ａの一端部から径方向外方に延出したフランジ５０ｂを有するガラリ本体５０と、該ガラリ本体５０のフランジ５０ｂの前面から前方に向けて延出し、該フランジ５０ｂの開口周りに間隔をあけて配置された複数の延出支持体５１…と、該複数の延出支持体５１…に支持され、フランジ５０ｂに前面に対して間隔をあけて対向する前面カバー部５２１及び該前面カバー部５２１の周端部の一部がフランジ５０ｂ側に向かって延出している周壁部５２２を有するカバー５２とを備えたカバー付ガラリ５がある。かかるカバー付ガラリ５は、フランジ５０ｂの前方にカバー５２を配置することで通気を確保しつつ換気穴Ｈを覆い隠すようになっている。
【先行技術文献】
【特許文献】
【０００７】
【特許文献１】特開２００５−８３７１０号公報
【発明の概要】
【発明が解決しようとする課題】
【０００８】
しかしながら、カバー付ガラリ５についても、上記ガラリと同様、害虫や埃等が外部から室内に進入してしまうといった問題があり、この種のカバー付ガラリ５に対してフィルターを取り付けるためのフィルター固定具が要求されている。すなわち、上記構成のフィルター固定具は、カバー５２でフランジ５０ｂ全体を直接覆うようになっているため、延出支持体５１…に支持された前面カバー部５２１及び周壁部５２２を有するカバー５２を備えたカバー付ガラリ５に対して取り付けることができないとして、カバー付ガラリ５を対象としたフィルター固定具が要求されている。
【０００９】
そこで、本発明は、斯かる実情に鑑み、フランジの前面に対して間隔をあけて対向する前面カバー部及び該前面カバー部の周端部の一部がフランジ側に向かって延出している周壁部を有するカバーを備えた既設のカバー付ガラリに対してフィルターを取り付けることができるカバー付ガラリ用のフィルター固定具を提供することを課題とする。
【課題を解決するための手段】
【００１０】
本発明に係るカバー付ガラリ用のフィルター固定具は、建物の外壁面に沿って配置される環状のフランジを有するガラリ本体と、フランジの前面に対して間隔をあけて対向する前面カバー部及び該前面カバー部の周端部の一部がフランジ側に向かって延出している周壁部を有するカバーとを備え、フランジと前面カバー部との間に周壁部と並んで通気部が形成された既設のカバー付ガラリに対し、該通気部を覆うように通気性の有るシート状のフィルターをカバーの周壁部に巻き掛けた状態で、該フィルターを固定するためのフィルター固定具であって、周壁部に巻き掛けたフィルター上に巻き掛け可能で且つ巻き掛けた状態で少なくとも前記通気部に対応する部分が通気可能に構成されて一方向に長手をなすフィルター支持部と、該フィルター支持部がフィルターの外周上に巻き掛けられた状態でその一端側と他端側とを連結可能な連結部とを備え、フィルター支持部と連結部との少なくとも一方は、通気部を覆うようにカバーの周壁部にフィルターを締め付けて固定すべく弾性変形可能に構成され、前記フィルター支持部は、所定の間隔をあけて設けられ、線材で環状に形成される二つ以上の環状部と、該二つ以上の環状部のそれぞれを結合する結合部とを備えていることを特徴とする。
【００１１】
上記構成のカバー付ガラリ用のフィルター固定具は、通気部を覆うようにカバーのフランジまたは周壁部に巻き掛けられたフィルターの外周上に巻き掛けられる。このとき、通気部を通気可能な状態でフィルターの外周上に接するようにフィルター支持部を当接させ、連結部で該フィルター支持部の一端側と他端側とを連結している。さらに、フィルター支持部と連結部との少なくとも一方が弾性変形することにより、フィルター固定具は、フィルターに巻き掛けられる巻き掛け方向にフィルター支持部を緊張させ、フランジとフィルター支持部との間または周壁部とフィルター支持部との間に挟まれたフィルターをフィルター支持部でフランジまたは周壁部に締め付けて固定している。このようにして、上記構成のカバー付ガラリ用のフィルター固定具は、前面カバー部と周壁部とを有するカバーを備えた既設のカバー付ガラリに対してフィルターを取り付けることができる。
【００１２】
また、通気部を覆うようにカバーの周壁部に巻き掛けられたフィルターの外周上に巻き掛けて、通気部を覆うフィルター部分に対向するように環状部及び結合部が配置され、該環状部及び該結合部がフィルターをフランジまたは周壁部に締め付けて固定しつつ、フィルターを通過した空気をその環状部及び結合部の隙間に通過させることで通気可能に取り付けることができる。このとき、環状部は、通気部を覆うフィルターを幅方向に締め付けることで固定しており、結合部は、フィルターを長手方向（巻き掛け方向）に締め付けることで固定している。
【発明の効果】
【００１３】
以上のように、本発明のカバー付ガラリ用のフィルター固定具によれば、フランジの前面に対して間隔をあけて対向する前面カバー部及び該前面カバー部の周端部の一部がフランジ側に向かって延出している周壁部を有するカバーを備えた既設のカバー付ガラリに対してフィルターを取り付けることができるという優れた効果を奏し得る。
【図面の簡単な説明】
【００１４】
【図１】本発明の一実施形態に係るカバー付ガラリ用のフィルター固定具を用いてフィルターが取り付けられるカバー付ガラリの説明図であって、（ａ）は、全体斜視図を示し、（ｂ）は、カバーを取り外した状態の分解斜視図を示す。
【図２】図１に示すカバー付ガラリを建物の壁に取り付けられるカバー付ガラリの説明図であって、（ａ）は、カバー付ガラリの断面図を示し、（ｂ）は、カバー付ガラリの側面図を示す。
【図３】（ａ）は、同実施形態に係るカバー付ガラリ用のフィルター固定具でカバー付ガラリに固定されるフィルターの正面図を示し、（ｂ）は、同実施形態に係るカバー付ガラリ用のフィルター固定具の正面図を示す。
【図４】同実施形態に係るカバー付ガラリ用のフィルター固定具のフィルター支持部の部分拡大図であって、（ａ）は、端部に設けられた環状部を含むフィルター支持部の部分拡大図を示し、（ｂ）は、途中位置にある環状部を含むフィルター支持部の部分拡大図を示す。
【図５】同実施形態に係るカバー付ガラリ用のフィルター固定具の連結部の部分拡大図であって、（ａ）は、連結部の側面の部分拡大図を示し、（ｂ）は、連結部の下面の部分拡大図を示す。
【図６】同実施形態に係るカバー付ガラリ用のフィルター固定具のカバーを仮想線（二点差線）で示した斜視図であって、（ａ）は、カバーの周壁部上にフィルターを配置した状態の斜視図を示し、（ｂ）は、カバーの周壁部上に配置されたフィルター上にカバー付ガラリ用のフィルター固定具を配置したカバーを取り外した状態の分解斜視図を示す。
【図７】同実施形態に係るカバー付ガラリ用のフィルター固定具を用い、建物の壁に取り付けられたカバー付ガラリに対してフィルターを取り付けた状態の側面図を示す。
【図８】本発明の他実施形態に係るカバー付ガラリ用のフィルター固定具のフィルター支持部の部分拡大図であって、（ａ）は、掛止部を掛止して弾性部材の弾性変形が復元する方向で湾曲した態様に形成されたフィルター支持部の部分拡大図を示し、（ｂ）は、掛止部を掛止して弾性部材の弾性変形が復元する方向で屈曲した態様に形成されたフィルター支持部の部分拡大図を示す。
【図９】本発明の別の実施形態に係るカバー付ガラリ用のフィルター固定具の説明図であって、（ａ）は、正面図を示し、（ｂ）は、長手方向を切断した側面断面図を示す。
【発明を実施するための形態】
【００１５】
以下、本発明の一実施形態に係るカバー付ガラリ用のフィルター固定具（以下、単にフィルター固定具という）について、添付図面を参照しつつ説明する。
【００１６】
フィルター固定具の説明に先立ち、該フィルター固定具を用いてフィルターが固定されるカバー付ガラリ（以下、単にガラリという）及びフィルターについて概略を説明する。かかるガラリ５は、図１及び図２に示す如く、建物の壁Ｗを貫通させた換気穴Ｈ（図２参照）に嵌入される筒状の嵌入部５０ａ、及び該嵌入部５０ａの径方向外方に延出するように該嵌入部５０ａの一端部に連設された鍔状のフランジ５０ｂを有するガラリ本体５０と、前記フランジ５０ｂの前面から前方に向けて延出し、該フランジ５０ｂの開口周りで周方向に間隔をあけて配置された複数の延出支持体５１…と、該複数の延出支持体５１…に支持され、フランジ５０ｂの前面に対して間隔をあけて対向する前面カバー部５２１及び該前面カバー部５２１の周端部の一部がフランジ５０ｂ側に向かって延出している周壁部５２２を有するカバー５２とを備えている。そして、本実施形態に係るガラリ５（ガラリ本体５０）は、フランジ５０ｂの開口を覆うように設けられた通気可能なルーバー５０ｃを備えている。
【００１７】
前記嵌入部５０ａは、換気穴Ｈの形状に応じて角筒状又は円筒状に形成される。本実施形態において、前記嵌入部５０ａは、円筒状に形成されており、外周面には、換気穴Ｈの内周面に圧接可能な抜止部材（図示しない）が周方向に間隔をあけて複数取り付けられている。
【００１８】
前記ルーバー５０ｃは、図１（ｂ）及び図２（ａ）に示す如く、複数の羽根板５００…を備えている。複数の羽根板５００…は、一方向に間隔をあけて配置されたり、格子状に配置されたりするのが一般的である。図１（ｂ）及び図２（ａ）に示すルーバー５０ｃは、円環状のフランジ５０ｂが画定する開口を覆うことのできるサイズの金属プレートをプレス加工（打ち抜き加工）することで、複数の羽根板５００…のそれぞれが一方向（建物の壁Ｗに固定された状態で水平方向になる方向）に延びるように形成されている。
【００１９】
そして、ガラリ５（ガラリ本体５０）は、上述の如く、フランジ５０ｂに対してルーバー５０ｃが取り付けられるため、フランジ５０ｂの前面の開口周縁部にルーバー５０ｃを嵌着するための凹部５０１が形成されている。すなわち、フランジ５０ｂの前面には、開口と同心をなす環状の凹部５０１が形成されている。ガラリ５は、フランジ５０ｂの前面にルーバー５０ｃが嵌め込まれた状態で、ルーバー５０ｃの外周回りに段差５０２が形成されている。なお、この種のガラリ５には、ルーバー５０ｃがフランジ５０ｂに対して溶接されたものがあるが、ここで説明するガラリ５は、延出支持体５１…がガラリ本体５０に対してネジ固定されており、これに併せてルーバー５０ｃがフランジ５０ｂに固定されている。
【００２０】
複数の延出支持体５１…のそれぞれは、外観棒状に形成されている。そして、各延出支持体５１…は、一端部がフランジ５０ｂに固定されており、フランジ５０ｂの前面に対して略直角に延びるように設けられている。各延出支持体５１…は、フランジ５０ｂに対して溶接することで固定してもよいが、本実施形態に係る延出支持体５１…は、図２に示す如く、両端部に雌ネジの形成された筒体で構成されており、フランジ５０ｂの開口回りに設定された規定円（図示しない）上に穿設された貫通穴（採番しない）に対してフランジ５０ｂの後面（壁Ｗの外面と対向する面）側から挿通されたネジ部材５１１ａが一端部の雌ネジに螺合されることでフランジ５０ｂに固定されている。従って、複数の延出支持体５１…は、フランジ５０ｂの開口回りに設定された前記規定円上で周方向に間隔をあけて配置されている。
【００２１】
本実施形態においては、上述の如く、延出支持体５１…をフランジ５０ｂに固定するのに併せてルーバー５０ｃをフランジ５０ｂに固定するようになっているため、フランジ５０ｂの貫通穴（規定円）は、該フランジ５０ｂの前面に設けられた凹部５０１の奥まった位置にある前方に向く面（一段下がった面）上に設けられ、ルーバー５０ｃの外周にもフランジ５０ｂの貫通穴に対応する貫通穴（採番しない）が設けられている。そして、各延出支持体５１…は、フランジ５０ｂ及びルーバー５０ｃに穿設された貫通穴に挿通したネジ部材５１１ａを一端部の雌ネジに螺合することで、フランジ５０ｂに固定され、フランジ５０ｂの凹部５０１に嵌め込まれたルーバー５０ｃは、ネジ部材５１１ａの頭部と延出支持体５１…とに挟まれてフランジ５０ｂに固定されている。これにより、前記ガラリ５は、複数の延出支持体５１…回りにルーバー５０ｃを嵌め込む凹部５０１の外周からなる段差５０２が形成されている。
【００２２】
前記前面カバー部５２１は、図１及び図２に示す如く、板材で構成されており、フランジ５０ｂの外径よりも大きな外径に設定されている。そして、前面カバー部５２１は、外周端部が一方の面側（フランジ５０ｂ側）に曲げられている。
【００２３】
前記前面カバー部５２１は、延出支持体５１…の他端部に溶接してもよいが、本実施形態においては、延出支持体５１…に対してネジ固定されている。すなわち、本実施形態に係る前面カバー部５２１は、フランジ５０ｂの規定円と対応する第二の規定円（図示しない）上に複数の貫通穴５２０…が穿設されており、該前面カバー部５２１の外面側から前記貫通穴５２０…に挿通したネジ部材５１１ｂを延出支持体５１…の他端部に設けられた雌ネジに螺合することで、延出支持体５１…の他端部に固定されている。これにより、前面カバー部５２１は、フランジ５０ｂの前面に対して間隔をあけた状態で延出支持体５１…によって支持されている。
【００２４】
前記周壁部５２２は、外周端部の一部（建物の壁Ｗに固定された状態で上半分に位置する周端部）がフランジ５０ｂまで延出している。この周壁部５２２の周方向の両端部には、フィルターＦを仮止めする仮止め手段が設けられており、具体的には、面ファスナー５２３が設けられている。フィルターＦの裏面は、繊維を絡み合わせて形成されており、面ファスナーのループ（ループ状に密集して起毛された面を有する面ファスナー）として代用することができることから、面ファスナー５２３，５２３は、フック（フック状に起毛された面を有する面ファスナー）を用いている。
【００２５】
上記構成のガラリ５は、図２（ｂ）に示す如く、フランジ５０ｂと前面カバー部５２１との間（フランジ５０ｂと、周壁部５２２が設けられた前面カバー部５２１の外周端部を除く外周端部との間）に周壁部５２２と（周方向に）並んで通気部５３が形成されている。かかるガラリ５は、フランジ５０ｂが壁Ｗの外面に対向するように嵌入部５０ａを換気穴Ｈに嵌入することで建物の壁Ｗに固定され、ルーバー５０ｃの羽根板５００…間の隙間で室内と屋外との間における通気を確保するとともに、ルーバー５０ｃの羽根板５００…によって室内からの空気が通気部５３に向かって流れる（或いは、外部からの空気が通気部５３を通過して羽根板５００…に案内されて嵌入部５０ａ内に流れる）ようになっている。
【００２６】
前記フィルターＦは、図３（ａ）に示す如く、所定の厚みに設定された通気性のあるシート材（例えば、不織布等）で構成され、厚み方向で弾性変形可能になっている。かかるフィルターＦは、通気部５３の少なくとも全域を覆うことができるように、形状及びサイズが通気部５３の外形及びサイズに対応して、本実施形態では、長方形状若しくは一方向に長手をなして形成されている。フィルターＦの長手方向の辺は、通気部５３の周壁部５２２の周方向又は略周方向の長さ以上有している。フィルターＦの他方の辺は、通気部５３の周壁部５２２の周方向と直角方向又は略直角方向の長さ以上を有している。なお、本実施形態では、周壁部５２２に設けられた面ファスナー５２３，５２３にフィルターＦを仮止めすることを想定しているため、ファスナーＦの長手方向の辺若しくは長尺辺は、周壁部５２２を周方向に沿わせた状態で、一方の面ファスナー５２３と他方の面ファスナー５２３との間の長さ以上を有することが好ましい。
【００２７】
本実施形態に係るフィルター固定具は、上述の如く、建物の外壁面に沿って配置される環状のフランジ５０ｂを有するガラリ本体５０と、フランジ５０ｂの前面に対して間隔をあけて対向する前面カバー部５２１及び該前面カバー部５２１の周端部の一部がフランジ５０ｂ側に向かって延出している周壁部５２２を有するカバー５２とを備えるガラリ５を対象とすることを前提としたもので、図３、図４及び図５に示す如く、通気部５３を覆うようにフィルターＦをカバー５２の周壁部５２２に巻き掛けた状態で、該フィルターＦを締め付けて固定するためのものであり、周壁部５２２に巻き掛けたフィルターＦ上に巻き掛け可能で且つ巻き掛けた状態で少なくとも前記通気部５３に対応する部分が通気可能に構成されて一方向に長手をなすフィルター支持部１１と、該フィルター支持部１１がフィルターＦの外周上に巻き掛けられた状態でその一端側と他端側とを連結可能な連結部１２とを備えている。
【００２８】
本実施形態において、フィルター支持部１１は、所定の間隔をあけて設けられ、線材で環状に形成される二つ以上の環状部１１１…と、該二つ以上の環状部１１１…のそれぞれを結合する結合部１１２…とを備えている。本実施形態に係るフィルター支持部１１は、ステンレス鋼やバネ鋼等からなる線材やピアノ線（硬鋼線）等の線材で構成されており、所定長さの線材を環状に曲げ、該線材の両端部同士を結合することで形成されている。フィルター支持部１１を構成する線材の両端部同士の結合には、塑性変形可能な金属材料を筒状に形成した圧着体１３が用いられる。すなわち、線材の両端部同士の結合は、圧着体１３内に環状に曲げた線材の両端部を挿入した上で、該圧着体１３をカシメ処理することで行われている。
【００２９】
そして、各環状部１１１は、外径がフランジ５０ｂと前面カバー部５２１との間隔（周壁部５２２の周方向と直角方向または略直角方向に形成された通気部５３の辺の長さに相当）よりも大きく設定されている。これにより、フィルターＦで通気部５３を覆うようにフィルターＦを周壁部５２２に巻き掛けるときに、通気部５３に面する位置で周壁部５２２側に向かってフィルターＦを圧接する環状部１１１は、径方向の相反する位置にある二カ所のうち、一方がフランジ５０ｂの外周部に圧接するとともに他方が周壁部５２２に圧接するようになっている。周壁部５２２に面する位置で周壁部５２２側に向かってフィルターＦを圧接する環状部１１１は、周方向の全周に圧接するようになっている。よって、通気部５３を取り囲むフィルターＦを通過する空気の流れを妨げることなく、フィルターＦを周壁部５２２に圧接することができる。
【００３０】
二つ以上の環状部１１１…は、結合部１１２を湾曲させて周壁部５２２に沿わせて配置した状態で、周壁部５２２周りで等間隔又は略等間隔になるように配置されている。本実施形態に係るフィルター固定具１は、環状部１１１を七つ備えており、該七つの環状部１１１…は、所定間隔をあけて一列に配置されている。そして、該フィルター固定具１は、周壁部５２２に沿って配置した状態で両端の環状部１１１，１１１間の間隔を除き、隣り合う七つの環状部１１１…とが等間隔又は略等間隔で配置されるようになっている（図６（ｂ）参照）。
【００３１】
本実施形態に係る結合部１１２は、軸芯方向と直角方向に弾性変形可能に構成された線材であり、すなわち、湾曲可能に構成されている。よって、該結合部１１２は、フランジ５０ｂ又は周壁部５２２に巻き掛けられたフィルターＦを周方向に沿って湾曲されることにより、フィルターＦをフランジ５０ｂと環状部１１１との間または周壁部５２２と環状部１１１との間に（フィルターＦを厚さ方向に弾性変形させつつ、）隙間をつくることなく挟み込み、周壁部５２２に圧接することができる。前記結合部１１２は、環状部１１１と同様に、ステンレス鋼やバネ鋼等からなる線材やピアノ線（硬鋼線）等で構成されている。
【００３２】
そして、環状部１１１と結合部１１２との結合には、図４（ａ），図４（ｂ）に示す如く、塑性変形可能な金属材料を筒状に形成した圧着体１３が用いられる。すなわち、環状部１１１を構成する線材及び結合部１１２を構成する線材を圧着体１３に挿通した上で、該圧着体１３をカシメ処理することで環状部１１１及び結合部１１２が結合されている。
【００３３】
前記連結部１２は、図５（ａ），図５（ｂ）に示す如く、通気部５３を取り囲むようにカバー５２の周壁部５２２にフィルターＦを押し付けるために弾性変形可能な弾性部材１２１と、環状部１１１…に掛止可能な掛止部１２２とを備えている。
【００３４】
前記弾性部材１２１は、両端に丸フック１２１ａ，１２１ｂが設けられており、結合部１１２でそれぞれ結合された二以上の環状部１１１…のうち、一端に結合される環状部１１１にその一方（一端側）の丸フック１２１ａを接続し、掛止部１２２にその他方（他端側）の丸フック１２１ｂを接続している。該弾性部材１２１は、本実施形態では、引張コイルバネを用いる。
【００３５】
前記弾性部材１２１は、フィルター支持部１１を周壁部５２２に巻き掛ける際に（弾性部材１２１が弾性変形する前に）、複数結合される環状部１１１…のうち一方の環状部１１１と他方の環状部１１１とが離間する長さ以下の長さに形成されている。該弾性部材１２１は、フィルター支持部１１を周壁部５２２に巻き掛ける際に両端の環状部１１１，１１１が離間する長さ以上長手方向に引き伸ばすことにより、それぞれが接近する方向に弾性力を作用させるように構成されている。従って、周壁部５２２に巻き掛けられたフィルター支持部１１の両端に設けられる環状部１１１，１１１が弾性部材１２１の作用によりそれぞれを接近させ、フィルター固定具１の巻き掛け方向にフィルター支持部１１を緊張させ、フィルター支持部１１と周壁部５２２との間に挟まれているフィルターＦをフィルター支持部１１でフランジ５０ｂまたは周壁部５２２に締め付けて固定することができる。
【００３６】
前記掛止部１２２は、図５に示す如く、弾性部材１２１の丸フック１２１ａを接続可能な接続孔を有する掛止部本体１２２ａと、該掛止部本体１２２ａに固定されたフック１２２ｂとを備える。フック１２２ｂは、二つ以上の環状部１１１…のいずれかの環状部１１１に掛止すればよく、環状部１１１…に対して着脱自在に掛止することができる。フック１２２ｂは、フィルター支持部１１を巻き掛けるカバー５２の周方向の長さに合わせて、その掛止位置を適宜選択することにより、様々な大きさのカバー５２に対して用いることができる。
【００３７】
本実施形態に係るフィルター固定具１は、以上の通りであり、次に、ガラリ５に対してフィルターＦを着脱する（交換する）作業手順について説明する。
【００３８】
ガラリ５に対してフィルターＦを取り付けるには、図６（ａ）に示す如く、通気部５３を覆うようにフィルターＦを既設のガラリ５の周壁部５２２に巻き掛ける。このとき、フィルターＦは、周壁部５２２の周方向に少なくとも通気部５３を覆うように周壁部５２２の一端部から通気部５３を跨いで他端部まで巻き掛けられている。このようにして、該フィルターＦは、通気部５３の全面又は略全面を覆った状態となっている。フィルターＦは、その裏面を周壁部５２２の両端部に設けられた面ファスナー５２３，５２３に押し当てることにより、周壁部５２２に巻き掛けられた状態で仮止めすることができる。
【００３９】
そして、図６（ｂ）に示す如く、フィルター固定具１をフィルターＦの上からガラリ５の周壁部５２２に装着する。具体的には、フィルター支持部１１をフィルターＦに沿わせて巻き掛け、少なくとも通気部５３を覆うフィルターＦに環状部１１１が面するように配置し、結合部１１２は、通気部５３の前面カバー部５２１及びフランジ５０ｂに沿うように配置されている。すなわち、通気部５３の周壁部５２２の周方向に沿った辺は、前面カバー部５２１又はフランジ５０ｂと、結合部１１２と近接する環状部１１１の近傍（圧着体１３を含む）及び該結合部１１２とでフィルターＦを挟み込み、フィルターＦで周壁部５２２側に圧接されていることにより隙間なく塞がっている。通気部５３の周壁部５２２の周方向と直角方向に沿った辺は、周壁部５２２と環状部１１１及び結合部１１２とでフィルターＦを挟み込み、周壁部５２２側に圧接されていることにより隙間なく塞がっている。よって、フィルター固定具１は、通気部５３をフィルターＦで覆った状態で周壁部５２２に巻き掛けられる。
【００４０】
フィルター支持部１１が周壁部５２２に巻き掛けられると、連結部１２の弾性部材１２１を弾性変形させて、掛止部１２２のフック１２２ｂを連結部１２が接続されたフィルター支持部１１の他端と反対側の一端側（図３（ｂ）の右から所定数の範囲）に位置する環状部１１１まで引き伸ばす。フック１２２ｂを環状部１１１に掛止すると、弾性部材１２１が自己の復元力によって元に形状に戻ろうとする結果、フック１２２ｂを引き戻す方向に作用し、一端の環状部１１１と反対方向の他端側の環状部１１１とが互いに接近して、フィルター支持部１１をフィルターＦに巻き掛ける巻き掛け方向（長手方向）に緊張させ、フィルターＦで通気部５３を覆った状態で周壁部５２２にフィルター支持部１１を締め付けて固定することができる。
【００４１】
なお、フック１２２ｂは、図６（ｂ）では、一端側の環状部１１１（弾性部材１２１が接続された他端側と反対側の環状部１１１）に該環状部１１１の内側から外側に向かって掛止するようにしたが、周壁部５２２の外周径に合わせて、弾性部材１２１の弾性変形を許容する範囲などを考慮しつつ、その掛止する環状部１１１を適宜選択してもよい。例えば、フック１２２ｂは、一端の環状部１１１の他端の環状部１１１側に接近する方向に湾曲した円弧部分に径方向内側から外側に向かって掛止してもよいし、他端の環状部１１１側と離間する方向に湾曲した円弧部分に径方向外側から内側に向かって掛止してもよい。また、フック１２２ｂは、一端の環状部１１１に掛止する場合に限られず、一端側から二つ目、三つ目…の環状部１１１の円弧部分に掛止するものであってもよい。このような場合、本実施形態の周壁部５２２の外径より小さい周壁部を有するカバーに対してもフィルターＦを固定することができる。
【００４２】
また、本実施形態に係るフィルター固定具１は、フィルターＦで通気部５３を覆うようにフィルター支持部１１を周壁部５２２に巻き掛けた状態で、各環状部１１１が周壁部５２２周りで等間隔又は略等間隔になるように配置されているため、フィルターＦに対する押圧位置が周壁部５２２周りで等間隔となり、もちろん、通気部５３周りでも等間隔になる。これにより、該フィルター固定具１は、フィルターＦをバランス良く固定することができる。
【００４３】
ガラリ５に取り付けられたフィルターＦを取り外す場合には、上記作業と逆の手順で作業を行うことで、フィルター固定具１を取り外すことができる。すなわち、連結部１２の掛止部１２２を環状部１１１から取り外し、周壁部５２２からフィルター固定具１全体をガラリ５から取り外すことができる。これにより、フィルターＦの固定を解除することができ、周壁部５２２に面ファスナー５２３で仮止めされただけのフィルターＦを外側に引っ張ることで周壁部５２２からフィルターＦを引き離して取り外すことができる。
【００４４】
以上のように、本実施形態に係るフィルター固定具１は、通気部５３を覆うようにカバー５２のフランジ５０ｂまたは周壁部５２２に巻き掛けられたフィルターＦの外周上に巻き掛けられる。このとき、通気部５３を通気可能な状態でフィルターＦの外周上に接するようにフィルター支持部１１を当接させ、連結部１２で該フィルター支持部１１の一端側と他端側とを連結している。さらに、連結部１２の弾性部材１２１が弾性変形することにより、フィルター固定具１は、フィルターＦに巻き掛けられる巻き掛け方向にフィルター支持部１１を緊張させ、フランジ５０ｂとフィルター支持部１１との間または周壁部５２２とフィルター支持部１１との間に挟まれたフィルターＦをフィルター支持部１１でフランジ５０ｂまたは周壁部５２２に締め付けて固定している。このようにして、上記構成のカバー付ガラリ用のフィルター固定具１は、前面カバー部５２１と周壁部５２２とを有するカバー５２を備えた既設のカバー付ガラリ５に対してフィルターＦを取り付けることができる。
【００４５】
また、通気部５３を覆うようにカバー５２の周壁部５２２に巻き掛けられたフィルターＦの外周上に巻き掛けて、通気部５３を覆うフィルターＦ部分に対向するように環状部１１１及び結合部１１２が配置されても、該環状部１１１及び該結合部１１２がフィルターＦをフランジ５０ｂまたは周壁部５２２に締め付けて固定しつつ、フィルターＦを通過した空気をその環状部１１１及び結合部１１２の隙間に通過させることで通気可能に取り付けることができる。このとき、環状部１１１は、通気部５３を覆うフィルターＦを幅方向に締め付けることで固定しており、結合部１１２は、フィルターＦを長手方向（巻き掛け方向）に締め付けることで固定している。
【００４６】
本発明のカバー付ガラリ用のフィルター固定具１によれば、フランジ５０ｂの前面に対して間隔をあけて対向する前面カバー部及５２１及び該前面カバー部５２１の周端部の一部がフランジ５０ｂ側に向かって延出している周壁部５２２を有するカバー５２を備えた既設のカバー付ガラリ５に対してフィルターＦを取り付けることができるという優れた効果を奏し得る。
【００４７】
なお、本発明は、上記実施形態に限定されるものではなく、本発明の要旨を逸脱しない範囲で種々の変更を加え得ることは勿論のことである。
【００４８】
上記実施形態において、フィルター固定具１を用いてフィルターＦを取り付ける対象として、前面カバー部５２１と該前面カバー部５２１の周端部の一部がフランジ５０ｂ側に向かって延出している周壁部５２２とを有するカバー５２を備えたガラリ５を一例に説明したが、これに限定されるものではなく、例えば、フランジ５０ｂの周端部の一部がカバー５２側に向かって延出している延出部を有するフランジ５０ｂを備えたガラリ５を対象としてもよい。この延出部は、例えば、建物の壁Ｗに固定された状態で下半分に位置する周端部がカバー５２側に４５度程度下方に延出しており、カバー５２の内側に入り込んだ雨水がフランジ５０ｂを伝って壁面から離間した位置から排水されることにより、雨水が垂れて壁面を汚損するのを防止するために設けられている。
【００４９】
この場合、フィルター固定具は、フランジ５０ｂの延出部と前面カバー部５２１との間の通気部をフィルターＦで覆うようにして、カバー５２の周壁部５２２及びフランジ５０ｂの延出部にフィルターＦを固定してもよいし、フランジ５０ｂと前面カバー部５２１との間の通気部５３をフィルターＦで覆うようにして、カバー５２の周壁部５２２及びフランジ５０ｂにフィルターＦを固定してもよい。但し、延出部を覆うようにしてフィルターＦを固定すると、雨水を壁面から離間した位置から排水する妨げとなるため、フランジ５０ｂと前面カバー部５２１との間の通気部５３をフィルターＦで覆うようにする方が好ましいことは勿論である。
【００５０】
また、前面カバー部５２１が延出支持体５１…で支持されておらず、フランジ５０ｂまで延出した周壁部でフランジ５０ｂに支持されているガラリ５を対象としてもよい。この場合、フィルター固定具は、フランジ５０ｂと周壁部との間の通気部をフィルターＦで取り囲むようにして、カバー５２の周壁部にフィルターＦを固定してもよい。
【００５１】
上記実施形態において、ルーバー５０ｃを備えたガラリ５を対象に説明したが、これに限定されるものではなく、例えば、ルーバー５０ｃを備えることなくフランジ５０ｂの開口が開放したものも本発明に係るカバー付ガラリ用のフィルター固定具の対象である。
【００５２】
上記実施形態において、嵌入部５０ａ及びフランジ５０ｂを有するガラリ本体５０を備えたガラリ５を対象にしたが、これに限定されるものではなく、例えば、フランジ５０ｂを建物の壁Ｗにネジ固定するようにしたもの、すなわち、ガラリ本体５０が嵌入部５０ａを備えることなくフランジ５０ｂのみで構成されたものであってもよい。
【００５３】
上記実施形態において、連結部１２がフィルター支持部１１の（周壁部５２２に配置されるフィルターＦの外周上に巻き掛ける）巻き掛け方向の一端側にのみ備える構成としたが、これに限定されるものではなく、例えば、連結部１２がフィルター支持部１１の巻き掛け方向の両端側にそれぞれ備えるものであってもよい。この場合、該連結部１２同士を係合して連結することにより、フィルター支持部１１が周壁部５２２に配置されるフィルターＦの外周上に巻き掛けられた状態でその一端側と他端側とを連結するように構成されたものであってもよい。
【００５４】
上記実施形態において、環状部１１１を相対する位置で連結する２本の結合部１１２で構成したが、これに限定されるものではなく、例えば、結合部１１２を一方向に長手をなす一本の線材や一枚の帯板で構成してもよい。但し、結合部１１２を帯板で構成する場合、環状部１１１のフィルターＦ及びカバー５２の周壁部５２２に対して圧接する方向に沿って変形可能となるように帯板を配置することは言うまでもない。すなわち、フィルター固定具１で周壁部５２２を取り囲むに際して変形できるように帯板を配置することは勿論のことである。
【００５５】
上記実施形態において、通気部５３を覆うようにフィルターＦを周壁部５２２の周方向巻き掛けた状態（周壁部５２２の外周の少なくとも一部を沿わせた状態）で該フィルターＦを締め付けて固定するようにしたが、これに限定されるものではなく、例えば、フィルターＦは、周壁部５２２の全周に巻き掛けてもよい（巻き付けてもよい）し、更に、周壁部５２２に複数回巻き掛けてもよい。また、フィルターＦの長手方向の長さに合わせて、フィルター支持部１１の長手方向の長さも、当該通気部５３と該通気部５３近傍を少なくとも覆うことができる長さとしてもよく、フィルター固定具は、当該フィルターＦをフランジ５０ｂまたは周壁部５２２とで挟み込み、フィルターＦをフランジ５０ｂまたは周壁部５２２に締め付けることで固定するようにしてもよい。
【００５６】
上記実施形態において、連結部１２は、弾性部材１２１に掛止部１２２を設けて、環状部１１１に対して着脱自在に構成されるようにしたが、これに限定されるものではなく、例えば、連結部１２は、スプリングバネやゴムなどの弾性部材１２１を直接フィルター支持部１１の両端部に接続するようにしてもよい。この場合であっても、弾性部材１２１を弾性変形させて周壁部５２２の外周径よりもフィルター固定具の全長を引き伸ばし、周壁部５２２に装着することでも、通気部５３を取り囲むようにカバー５２の周壁部５２２にフィルターＦを押し付けた状態で巻き掛けることができる。
【００５７】
上記実施形態において、通気部５３を取り囲んだ状態で、各環状部１１１が等間隔になるように環状部１１１を配置したが、これに限定されるものではなく、各環状部１１１の間隔は不等間隔であってもよい。但し、フィルターＦを安定して固定するには、環状部１１１（フィルターに対する圧接位置）を等間隔に設定することが好ましいことは言うまでもない。
【００５８】
上記実施形態において、各環状部１１１を弾性変形可能な線材で環状に形成するようにしたが、これに限定されるものではなく、例えば、図８（ａ）に示す如く、線材をＵ字状に湾曲させたもので線状部１１１Ａを構成したり、図８（ｂ）に示す如く、線材をくの字状に屈曲させたもので線状部１１１Ｂを構成したりしてもよい。この場合、線状部１１１Ａ，１１１Ｂが通気部５３に面して配置されるフィルターＦを圧接しても、通気部５３の空気の流れの妨げとなることなく、フィルターＦで通気部５３を取り囲むようにカバー５２の周壁部５２２に固定することができる。
【００５９】
上記実施形態において、通気部５３を取り囲むようにカバー５２の周壁部５２２にフィルターＦを押し付けるために連結部１２の弾性部材１２１が弾性変形可能に構成されるようにしたが、これに限定されるものではなく、フィルター支持部１１の一部と連結部１２の一部との少なくとも一方が弾性変形可能に構成されるようにしてもよい。例えば、上記実施形態において、各環状部１１１は、径方向に弾性変形可能になっている。すなわち、各環状部１１１は、常態において円環状又は略円環状を呈しているが、径方向に圧縮力を作用させたときに楕円環状に変形するようになっている。両端部の環状部１１１を変形させた径方向の圧縮力を利用して、フィルター支持部１１の巻き掛け方向の長さを伸縮させることで、フィルターＦを周壁部５２２側及び通気部５３側に向かって締め付けて、周壁部に密着させるようにしてもよい。また、フィルター支持部１１の結合部１１２が軸芯方向にも弾性変形可能に構成することにより、この軸芯方向の圧縮力を利用して、フィルター支持部１１の巻き掛け方向の長さを伸縮させることで、フィルターＦを周壁部５２２側及び通気部５３側に向かって締め付けて、周壁部に密着させるようにしてもよい。
【００６０】
上記実施形態において、フィルター固定具１は、所定の間隔をあけて設けられ、線材で環状に形成される二つ以上の環状部１１１…と、該二つ以上の環状部１１１…のそれぞれを連結する結合部１１２…とを有するフィルター支持部１１とを備えるようにしたが、これに限定されるものではない。例えば、図９に示す如く、フィルター固定具１Ｃのフィルター支持部１１Ｃは、弾性変形可能な弾性帯１１１Ｃと、該弾性帯１１１Ｃの中間又は略中間に位置して通気可能な通気開口１１２Ｃと、弾性帯１１１Ｃの長手方向の一端側に設けられ、連結部１２Ｃが接続される接続孔１１３Ｃと、弾性帯１１１Ｃの長手方向の他端側に設けられ、連結部１２Ｃを保持可能な保持孔１１４Ｃとを備えるようにしてもよい。また、連結部１２Ｃは、連結部本体１２Ｃと、該連結部本体１２Ｃの基端側を折り曲げる等してフィルター支持部１１Ｃの接続孔１１３Ｃに抜け止めされてフィルター支持部１１Ｃに接続される接続部１２２Ｃと、連結部本体１２Ｃの先端側を円弧状に湾曲させる等してフィルター支持部１１Ｃの保持孔１１４Ｃに挿入して保持可能な掛止部１２３Ｃとを備えるようにしてもよい。
【００６１】
この場合、フィルター支持部１１Ｃは、弾性帯１１１Ｃを周壁部５２２の外周径に合わせて弾性変形させることで、周壁部５２２に沿って巻き掛けることができる。連結部１２Ｃは、保持孔１１４Ｃに掛止部１２３Ｃに掛止することにより、この状態を保持する。よって、フィルター固定具１Ｃは、フィルターＦで通気部５３を覆った状態でカバー５２の周壁部５２２に巻き掛けても、フィルター支持部１１Ｃの通気開口１１２ＣからフィルターＦを介して通気可能にしつつ、フィルターＦを周壁部５２２に固定することができる。
【符号の説明】
【００６２】
１，１Ｃ…フィルター固定具、５…ガラリ、１１，１１Ｃ…フィルター支持部、１２，１２Ｃ…連結部、１３…圧着体、５０…ガラリ本体、５０ａ…嵌入部、５０ｂ…フランジ、５０ｃ…ルーバー、５１…延出支持体、５２…カバー、５３…通気部、１１１，１１１Ｃ…環状部、１１１Ａ，１１１Ｂ…線状部、１１１Ｃ…弾性帯、１１２…結合部、１１２Ｃ…通気開口、１１３Ｃ…接続孔、１１４Ｃ…保持孔、１２１…弾性部材、１２１ａ，１２１ｂ…丸フック、１２１Ｃ…連結部本体、１２２…掛止部、１２２ａ…掛止部本体、１２２ｂ…フック、１２２Ｃ…接続部、１２３Ｃ…掛止部、５００…羽根板、５０１…凹部、５０２…段差、５１１ａ，５１１ｂ…ネジ部材、５２０…貫通穴、５２１…前面カバー部、５２２…周壁部、５２３…面ファスナー、Ｆ…フィルター、Ｈ…換気穴、Ｗ…壁
【図１】
0005525964.tif 000002
【図２】
0005525964.tif 000003
【図３】
0005525964.tif 000004
【図４】
0005525964.tif 000005
【図５】
0005525964.tif 000006
【図６】
0005525964.tif 000007
【図７】
0005525964.tif 000008
【図８】
0005525964.tif 000009
【図９】
0005525964.tif 000010